(57)【要約】【課題】単純で信頼できる手段による圧力補償を可能にする。【解決手段】本発明は、媒体リザーバを備えた投与装置に関する。媒体リザーバと、媒体リザーバに貯蔵された媒体を投与し調合するためのポンプ装置と、媒体リザーバに関連付けられた圧力補償手段からなる投与装置が公知である。本発明に拠れば、媒体リザーバには、圧力反応式の柔軟壁が設けられている。本発明は、更に、薬剤活性物質を調合するためのこの投与装置の使用に関する。【選択図】図１
2005503300.tif 000002
【特許請求の範囲】
【請求項１】
媒体リザーバ（Ｓ）と、媒体リザーバに貯蔵された媒体を投与及び調合するためのポンプ装置（Ｐ）とを、媒体リザーバに関連付けられた圧力補償手段とともに備えた投与装置において、媒体リザーバ（Ｓ）に圧力反応式の柔軟壁が設けられていることを特徴とする投与装置。
【請求項２】
媒体リザーバに、大気へ開放する少なくとも１つの圧力補償開口（Ｄ）が関連付けられていて、これに大気へとテーパ状になって０．１ｍｍから０．３ｍｍの最小直径を有するノズル形状が設けられていることを特徴とする請求項１のプリアンブルに記載の投与装置。
【請求項３】
大気への圧力補償開口（Ｄ）が設けられてフィルタ配置（２５、２５ｂ）により閉鎖されていて、フィルタ配置（２５、２５ｂ）が大気成分の汚染を抑止することを特徴とする請求項１又は請求項２のプリアンブルに記載の投与装置。
【請求項４】
フィルタ配置（２５、２５ｂ）がフィルタハウジングを有し、少なくとも１つのフィルタ薄膜（２６）を組み入れていて、これが対応して設計された圧力補償開口（Ｄ）に積極的に又は強制的に又は一体的にフィットされていることを特徴とする請求項３に記載の投与装置。
【請求項５】
フィルタ薄膜（２６）が、フィルタハウジング上にラミネートされ又はフィルタハウジングにより丸く押し出し成形されていることを特徴とする請求項４に記載の投与装置。
【請求項６】
圧力補償開口（Ｄ）及び／又はフィルタ配置（２５）が、媒体リザーバのカバー（１）内に一体化されていることを特徴とする請求項２又は３に記載の投与装置。
【請求項７】
圧力補償開口（Ｄ）及び／又はフィルタ配置（２５）が、カバー（１）の中心線軸に対して偏心的に位置付けられていることを特徴とする請求項６に記載の投与装置。
【請求項８】
媒体リザーバ（Ｓ）が、１つ又は多層のフィルム材料から形成されていて、これがポンプ装置（Ｐ）に関連付けられたプロファイルリング（２７）にタイトに接続されていることを特徴とする請求項１に記載の投与装置。
【請求項９】
媒体リザーバ（Ｓ）がリングの外側に密着されていて、かつ、ポンプ装置（Ｐ）がプロファイルリング（２７）に対してその吸引側媒体通路がリングの中心を媒体リザーバ（Ｓ）内に通過するように位置付けられていることを特徴とする請求項８に記載の投与装置。
【請求項１０】
吸引側媒体通路として、ポンプ装置（Ｐ）が吸引接続部を有し、その媒体リザーバ側吸引開口がリングの中心の近傍にあることを特徴とする請求項９に記載の投与装置。
【請求項１１】
媒体リザーバ（Ｓ）の密着接続の近傍において、プロファイルリング（２７）がリブ構造（３２）を有することを特徴とする請求項８から１０のいずれか１項に記載の投与装置。
【発明の詳細な説明】
【技術分野】
【０００１】
本発明は、媒体リザーバを、媒体リザーバに貯蔵された媒体を投与し調合するためのポンプ装置とともに、媒体リザーバに関連付けられた圧力補償手段とともに備えた投与装置に関する。
【背景技術】
【０００２】
このような投与装置は、ＤＥ３３３９１８０Ｃ２号から公知である。圧力補償手段として、ドラッグプランジャが媒体リザーバと関連付けられていて、真空が存在する結果、シリンダ状媒体リザーバ内の媒体の体積減少の関数として移動する方式で移動される。
【特許文献１】
ＤＥ３３３９１８０Ｃ２号
【発明の開示】
【発明が解決しようとする課題】
【０００３】
本発明の課題は、先述のタイプの投与装置を提供することであり、これは単純で信頼できる手段による圧力補償を可能にする。
【課題を解決するための手段】
【０００４】
この課題は、媒体リザーバに圧力反応式の柔軟壁が設けられることにより解決される。媒体リザーバは、好ましくは１つの層又は多層のフィルムからなる柔軟なフィルム壁によって画成される。柔軟壁は、媒体を調合するときに生じる真空に合わせて収縮するという点で、圧力及び体積補償を可能にする。フィルム材料は特にガス及び／又は液体タイトなプラスチックフィルムで構成され、これは好ましくは内部が金属で被覆されている。アルミニウム被覆のフィルムが特に好都合である。
【０００５】
本発明の課題はまた、媒体リザーバに少なくとも１つの圧力補償開口が関連付けられていて、これが大気に向けて開放していて、これが大気に向けてテーパとなった最小直径が０．１ｍｍから０．３ｍｍのノズル形状を有することで解決される。これが圧力補償を可能にする。圧力補償開口の小さな直径は、必要な圧力補償可能性を確実にする。同時に、極端に小さい開口直径の結果として、媒体リザーバ内での媒体の蒸発がほぼ完全に回避される。有利な構成では、圧力補償開口は、媒体リザーバのカバーに一体化される。好ましくは、圧力補償開口は、カバーの中心線軸に対して偏心的に位置付けられる。結果としてカバーには、中心線軸と同心的に、媒体リザーバへのポンプ装置の吸引機能のための通路が有利に設けられる。
【０００６】
本発明の課題は、大気への圧力補償開口がフィルタ配置により閉鎖されることでも解決され、後者は大気の汚染物質を保持する。これは、媒体リザーバに媒体を防腐剤無しで貯蔵することを可能にする。なぜなら大気の対応成分による媒体の汚染が回避されるからである。有利な構成では、フィルタ配置は圧力補償開口を含み、媒体リザーバのためのカバーに一体化される。
【発明の効果】
【０００７】
単純で信頼できる手段による圧力補償が可能となる。
【発明を実施するための形態】
【０００８】
本発明の発展においては、フィルタ配置がフィルタハウジングを有し、これは少なくとも１つのフィルタ薄膜を組み入れていて、これは対応して設計された圧力補償開口に積極的に又は強制的に又は一体的にフィットされる。フィルタハウジングは、好ましくはプラスチックから形成される。フィルタ薄膜は、好ましくはＰＰ／ＰＴＦＥ又はＴＰＥ／ＰＥＳで形成される。
【０００９】
本発明の更なる発展に拠れば、フィルタ薄膜はフィルタハウジング上にラミネートされ又はフィルタハウジングにより丸く押し出し成形される。これは信頼できるフィルタ動作を保証するフィルタ薄膜の安全で一定の位置付けを提供する。
【００１０】
本発明の更なる有利な構成や特徴は、請求の範囲及び以下に続く本発明の好ましい実施例の説明から添付の図面を参照して理解され得る。
【実施例】
【００１１】
図１による投与装置は、カバー１を有し、これは好ましくはボトル状または缶状容器の形状の媒体リザーバ上にロックされ得る。この目的のため、カバー１はカップ形状にされていて、その内周に更なる指呼はされていない環状ショルダーを有し、これは媒体リザーバのネック領域の対応する環状フランジ上にロックされ得る。カバー１の上方領域において、指呼されていない周囲弾性シールが設けられていて、これはカバー１を媒体リザーバネックへロックするときに押付けられて、その結果媒体リザーバのタイトなシーリングを保証している。カップ状の受容部２は、カバー１上に一体的に形成されていて、図示されない媒体リザーバと反対向きに、カバー１の中心線軸と共軸に、上方に突出している。受容部２は、続いて更に描かれているポンピング装置のための外ジャケット状ケーシング部を形成し、これは図１の投与装置の一部をなしている。固定ケーシング部３も一体的に設けられカバー１から突出していて、受容部２内で共軸となっており、この部分３には、カバー１の中心線軸と共軸に排出チャネル６が設けられており、このチャネルは媒体リザーバに向けて下方に、及び投与開口１８に向けて上方に、両方に開放している。排出チャネル６の下側部分において、基本的に公知の、好ましくは柔軟な吸引接続部７が挿入されている。排出チャネル６の上側部分は、投与セグメント１３の形状であり、排出チャネル６のステップ状テーパから開始するその上側部分は、排出チャネル６の下側部分と比べて減少した直径を有するシリンダ状投与チャネルを構成する。投与チャネルの形状の投与セグメント１３は、内シリンダジャケット４で囲まれている。
【００１２】
内シリンダジャケット４に関して放射方向に間隔を空けた方式で、内ポンプケーシング部３は、外シリンダジャケット５を形成し、これは内シリンダジャケット４と同様にカバー１上に一体的に形成される。外シリンダジャケット５は、内シリンダジャケットと共軸に配向されている。内シリンダジャケット４と外シリンダジャケット５の間に、環状移動領域１４が残されていて、これに対して以後更なる参照がなされるが、これはポンプ室の一部を形成している。
【００１３】
媒体リザーバに保証される方式で固定可能な受容部２に対して、内ポンプケーシング部３を含む、リフト移動可能又はストローク移動可能な方式のポンプユニットが設けられる。ストローク移動可能なポンプユニットは、外ポンプケーシング部８を有し、これは内ポンププランジャ又はピストンユニット９から１１に堅固に接続されている。ポンププランジャユニット９から１１は、一体コンポーネントとして別体に製造されていて、外ポンプケーシング部８の内部にロックされている。ポンププランジャユニットは、プランジャボディ９を有し、これは、上方領域で共軸に位置付けられたストローク移動可能な外バルブ１６のためのシリンダスペースを形成している。外バルブ１６は、ここでは更に指呼されていないヘリカル圧縮スプリングの形状の圧縮スプリング配置により、閉鎖方向に圧力付加されていて、プランジャ状外バルブ１６が出口開口１８を閉鎖するようになっている。圧縮スプリング配置は、プランジャ状外バルブ１６の内部に設置されていて、プランジャボディ９のシリンダスペースのベースに支持されている。プランジャボディ９のシリンダスペースには、その上方縁領域に周辺シールリップが設けられていて、これはプランジャ状出口バルブ１６の外ジャケットに周方向にタイトな方式で係合している。結果としてシリンダスペースは、さらにまた圧縮スプリング配置のための受容スペースは、媒体、特に液体の侵入に対してシールされている。出口バルブ１６は、同時に充填部材として構成されていて、それがほぼ完全に外ポンプケーシング部８を充填するようになっている。プランジャボディ９は、充填部材としても設計されていて、その外縁は、外ポンプケーシング部８の内縁にほぼ適合されている。
【００１４】
プランジャボディ９内に、ポンプ室に属する出口室１７の第１部分が形成されていて、これは移動領域１４と投与セグメント１３に向けて開放している。この第１部分は、その上方領域で放射方向外向きに開放していて出口室１７の環状室部分に通っており、これはプランジャボディ９の外ジャケット、出口バルブ１６の外縁及び外ポンプケーシング部８の内縁の間に形成されている。プランジャボディ９を環状ロッキングフランジ領域内で外ポンプケーシング部８とロッキング接続する結果として、環状室部分は軸方向下方に閉鎖されている。出口開口１８の方向において、出口バルブ１６は出口室１７の環状室部分を閉鎖している。
【００１５】
下方領域でプランジャボディ９は、共軸の内バルブプランジャ１０を形成し、これは、内シリンダジャケット４とともに投与セグメント１３の近傍でスライドバルブの形状でポンプ装置のための入口バルブを形成している。この目的で、プランジャボディ９上に一体的に形成されるバルブプランジャ１０には、下方領域で環状投与リップ１２が設けられていて、これはバルブプランジャ１０を投与セグメント１３内へ導入する際に、この投与セグメント１３を形成する投与チャネルの内壁とタイトに係合する。投与リップ１２の直径は、バルブプランジャ１０の直径よりも大きい。バルブプランジャ１０の長さと、プランジャボディ９のストロークと、結局全ストローク移動可能なポンプユニットが、図１に示される上方開口位置の投与リップ１２が投与セグメント１３の短い距離上方に位置付けられるように、寸法決めされている。完全に下向きに押圧されたストローク移動可能なポンプユニットの下方端部位置において、投与リップ１２は、排出チャネル６のステップ状拡張部に導入され、すなわち、それは投与セグメント１３にわたって及びそれを越えて下方に移動される。投与リップ１２の外径は、ステップ状拡張領域での排出チャネル６の直径よりも小さく、バルブプランジャ１０の直径は投与セグメント１３の内径よりも小さいので、ポンプユニットの下方端部位置において、出口室１７と媒体リザーバの間で吸引接続部７を介した媒体交換があり得る。
【００１６】
共軸で及び放射方向に間隔を空けた方式で、バルブプランジャ１０がベル状移動プランジャ１１によって囲まれていて、これは下方のシールエッジを用いて、周方向にタイトな方式で環状移動領域１４の内壁に係合される。ベル形状の移動プランジャ１１の断面は、移動領域１４の断面に適合されていて、プランジャボディの下方に移動された位置において端部領域が実質上クリアランス体積無しで存在するようになっている。なぜならこの位置で移動プランジャ１１は移動領域１４に完全に導入されるからである。バルブプランジャ１０の外壁と移動プランジャ１１の内壁の間の環状スペースは、内シリンダジャケット４のボディ体積に合ったその体積を有していて、ポンプユニットが下方に移動された場合に残りのクリアランス体積が更に減少されるようになっている。その外ジャケットの近傍において、プランジャ状出口バルブ１６には幾つかの環状ステップが設けられていて、これは出口バルブ１６を開放するための圧力利用面を形成している。保護キャップ１９は、円錐形に下方に広がったベル形状を有し、これは外ポンプケーシング部８の上方形状セクションにわたって反対にされていて、ポンプケーシング部８の環状ショルダー棚に軸方向に留まるようになっている。保護キャップは、ポンプケーシング部８の形状セクション上に手動で離脱可能にロックされている。保護キャップ１９の外径は、ポンプケーシング部８の最大外径よりも小さい。ポンプケーシング部８の上方形状セクションは、媒体リザーバ内に収容される媒体をノーズに適用可能にする目的で、ノーズオリーブとして設計されている。好ましくは、媒体リザーバに貯蔵される媒体は、少なくとも１つの薬剤物質を含む。
【００１７】
外ポンプケーシング部８の外ジャケット領域に、操作ハンドル２０がロックされていて、これには、その頂上に少なくとも２つの対向する側に、各場合に１つのフィンガーレストが設けられている。図１において、フィンガーレストにはプロファイルが設けられている。操作ハンドル２０を軸方向に保証するために、周方向ロッキングウェブ２１がポンプケーシング部８の外周に設けられていて、その上に少なくとも１つのロッキング溝が関連付けられていて、そこで対応する操作ハンドル２０の内縁部分が軸方向に係合している。操作ハンドル２０は、分離不能なロッキング接続部を用いてポンプケーシング部８上に好ましくはロックされていて、すなわち、操作ハンドル２０の軸ロッキングにつづいて、ポンプケーシング部８から破壊することなくそれを取り除くことはもはや不可能である。
【００１８】
ロッキングウェブ２１の下方に、ポンプケーシング部８は、シリンダ状ガイドジャケットを有し、これにはその下方縁領域において幾つかのストップカム２３が設けられており、これはガイドジャケットの外周にわたって同じ高さで分散されていて、これはジャケット状又はカップ状受容部２の放射方向内向きに突出する周方向ロッキングカラー２４と協働する。ロッキングカム２３とロッキングカラー２４は、ロッキングプロファイルを形成し、これはストローク移動可能なポンプケーシング部８の固定受容部２への軸保証を確実にする。ロッキングプロファイル２３、２４は、ポンプスプリング配置１５の圧縮力と反対にポンプケーシング部を軸方向に保持し、これはストローク移動可能なポンプユニットを図１の開始位置にセットし直すためのポンプ駆動部として役立つ。ポンプユニットを手動で圧下させることは、結局ポンプスプリング配置の圧縮力と反対に行われる。図１から理解できるように、ポンプスプリング配置１５は、内固定ポンプケーシング部８の外シリンダジャケット５の外側に位置付けられており、ポンプスプリング配置１５がポンプ領域の外側に設置され、それを通じて媒体が流れるようになっている。このように、ポンプスプリング配置１５が媒体、例えば少なくとも１つの薬剤物質を含む液体と接触することは不可能である。
【００１９】
操作ハンドル２０は、環状保証延長部２２を有し、これはシリンダジャケットとして下方に突出し、図１に示されたポンプユニットの上方端部位置において受容部２にわたってそれがロッキングプロファイル２３、２４の領域と重なり合う程度まで軸方向に突出している。受容部の外側から保護延長部２２の内壁への距離は、ロッキングプロファイル２３、２４の放射方向延長部よりも好ましくは小さく、堅い環状保護延長部２２がロッキングプロファイル２３、２４の分離に対して保護を与え、それゆえポンプケーシング部８のためのはずれ防止装置として機能するようになっている。
【００２０】
カバー１が先に記載されたポンプ装置と共同して媒体リザーバとして機能する容器をタイトにシールしながら、対応するポンプ工程の場合にポンプ装置の機能を損なわない目的で、圧力補償がなければならない。示された実施例において、圧力補償装置２５、２６、Ｄがこの目的のために設けられていて、カバー１に一体化されている。圧力補償装置はノズル孔Ｄを有し、これは明白な方式で外側にテーパ形状となって圧力補償開口として機能し、この最も狭い直径は好ましくは０．２ｍｍから０．３ｍｍを超えない。これはガス交換を確実にし、一方で極端に小さいノズル孔Ｄにより液体損失が最小化される。これは減少した蒸発につながり、これは図１で付加的に設けられたフィルタ配置２５のために特に有利である。フィルタ配置２５は、薄膜状フィルタ２６のための更に指呼されない受容ハウジングを有する。受容ハウジングは、カバー１の対応するレセプタクルに挿入され、好ましくはそれに接着され、又はそこに他の方法で固定される。薄膜状フィルタ２６は、示された実施例の受容ハウジングにより丸く押し出し成形されていて、結果的にそれに一体化されている。あるいはまた、薄膜状フィルタ２６を受容ハウジングの上端縁にラミネートすることが可能である。薄膜状フィルタは、好ましくはＰＰ／ＰＴＦＥ薄膜又はＴＰＥ／ＰＥＳ薄膜である。フィルタ２６は、媒体リザーバ内の媒体の汚染を防止する機能を果たし、対応するポンプ工程においてノズル孔Ｄを通じて圧力補償目的で吸引された大気が対応する薄膜により清潔にされその不純物が取り除かれる。こうして、水又は水分が入ることがフィルタ配置２５により防止される。
【００２１】
図１に示される投与装置の機能を説明する。バルブプランジャ１０により形成される入口バルブは、投与リップ１２と投与セグメント１３と共同して操作ハンドル２０の手動操作の場合にスライドとして作用し、外ポンプケーシング部８は、ポンプユニット９から１１とともに下方に移動される。ポンプユニットの完全なストロークの場合に、投与リップ１２が、投与セグメントの下方、したがって排出チャネル６内のステップ状棚の下方で、開口内へ下向きに通過するという事実のため、いわゆる呼び水入れが可能となる。これは、出口室１７によって定義されるポンプ装置のポンプ領域、移動領域１４、及び内バルブプランジャ１０と外移動プランジャ１１の間の環状スペースの空気が、ポンプユニットのストローク動作の間、下方に向けて排出チャネル６内、それゆえ吸引接続７と媒体リザーバ内へ逃げることが可能なことを意味している。続く戻りストロークの間、液体媒体の対応する吸引が行われる。ポンプ室として機能するポンプ装置のポンプ領域での極端に小さいクリアランス体積のため、好ましくはシングルストロークが呼び水入れの目的に十分であり、これはポンプ室で調合されるべき媒体の十分な吸引をもたらす目的を有する。投与リップ１２の投与セグメント１３に沿ったストロークの長さが投与体積を定義する。定義された投与セグメント１３は、残りの排出チャネル６に関してテーパ方式でステップ形状とされ、開口に向けてスライド形状で下方に通るバルブプランジャ１０と共同して、呼び水入れの後でさえも、すなわち投与装置のポンピング又は投与室とともに排出チャネル６内の全媒体通路の完全な充填に続いて、特に正確で信頼できる投与を可能とする。
【００２２】
プランジャ状の出口バルブ１６に作用するポンプ室内すなわち特に出口室１７の上方領域内の液体圧が、圧縮スプリング配置により加えられる逆圧を超えるとすぐに、排出工程が行われる。液体圧は、圧縮スプリング配置の圧縮力と反対に、出口バルブ１６を下方に押し込み、対応する媒体排出工程が出口開口１８を介して行われるようになっている。出口開口１８は、調合された媒体の霧化をもたらす目的で、好ましくはノズル形状である。明白であるが、対応する排出工程に先んじて、保護キャップ１９は取り除かれる。
【００２３】
図１に示された投与装置は、２、３のプラスチックコンポーネント、及び目下６つだけのプラスチックコンポーネントからなる。第１のプラスチックコンポーネントは、受容部２及び内ポンプケーシング部３と結合したカバー１で構成される。第２プラスチックコンポーネントは、外ポンプケーシング部８で形成される。第３プラスチックコンポーネントは、ポンププランジャユニット９から１１である。第４プラスチックコンポーネントはプランジャ状外バルブ１６である。第５プラスチックコンポーネントは、フィンガーレストが設けられた操作ハンドル２０であり、最終プラスチックコンポーネントは、保護キャップ１９である。投与装置を組み立てるために、まずプランジャ状出口バルブ１６がその上に作用する圧縮スプリング配置とともにポンププランジャユニット９に挿入され、さらに後者は出口バルブ１６とともに外ポンプケーシング部８の内部にロックされ、出口バルブ１６の上面が出口開口１８の近傍の対応するバルブシートに押圧されるようになっている。さらに外ポンプケーシング部８は、ポンププランジャ部９から１１とともに、固定されたプラスチックコンポーネント内に軸方向に挿入され、ロッキングと軸保証がロッキングプロファイル２３、２４の近傍で行われるようになっている。操作ハンドル２０は、いまや上からの軸方向に外ポンプケーシング部８へロックされ、ポンプケーシング部８とカバー１の受容部２の間のロッキング接続と軸保証がカバーされ保証されるようになっている。フィルタ配置２５と周方向のシールは、カバー１内に挿入される。カバー１は、さらに対応する媒体リザーバにタイトに係合され得る。外ポンプケーシング部８のカバー１への軸係合に先んじて、ポンプスプリング配置１５が挿入される。
【００２４】
図２から４による実施例において、ポンプ装置Ｐは、図１に関して先に記載されたポンプ装置に対応していて、ポンプ装置Ｐの更に詳細な説明のために、図１に関する詳細な説明に対して参照がなされている。同一の機能の部分は、図１と比べて同じ参照符号が与えられているが、“ａ”の文字で続けられている。詳細は、図１のポンプ装置と比較したポンプ装置Ｐの間の差異についてだけ与えられる。詳細な説明は、残りの投与装置について与えられ、そこではポンプ装置Ｐが一体化されている。図１の実施例と比較した本質的な差異は、ポンプ装置Ｐが、投与装置に関して別体のサブアセンブリとして製造されることが可能であり、そこに分離可能に接続されることである。図２から４による実施例において、受容部２ａは、内ポンプケーシング部と１ピースであることが認められる。内ポンプケーシング部は、ポンプスプリング配置１５ａにより囲まれているが、容器カップＢのために受容部２ａとともにカバー２８とは別体のユニットを構成している。カバー２８は、スリーブ状又は環状の構成を有しており、受容くぼみを備え、その中にポンプ装置Ｐの受容部２ａが周囲環状フランジを使用してロックされ得る。この目的のため、受容くぼみの端縁は、環状ロッキングポイントを備え、これは図２及び３で明確に視認可能であるが、更なる指呼はされていない。環状フランジとそれゆえカバー２８の受容くぼみの受容部２ａのタイトなクリアランスの無い着座が環状シール２９により保証されるが、これは環状フランジの下に位置付けられ、カバー２８の環状受容くぼみの皿端縁上に留まっている。カバー２８はプラスチック部分で構成され、クリンプにより容器カップＢの上方縁領域にロックされ又は堅固に接続される。
【００２５】
受容くぼみの皿端縁の下に、カバー２８が、１ピースで形成されたプロファイルリング２７により設けられていて、これはカバー２８の延長部として容器カップＢの内部に突出している。図４から理解できるように、プロファイルリングには幾つかの平行で間隔を空けた環状リブ３２が設けられていて、これはカバー２８の中心線軸に対して放射方向外側に突出している。また、垂直に配向されてプロファイルリング２７の高さにわたって延在する幾つかのリブウェブがあり、これは図２から４では更に指呼はされていない。これらのリブウェブは、プロファイルリング２７の周囲に分配されている。図２及び３の断面図は、それぞれそのようなリブウェブにより横断されている。
【００２６】
そのポンプ操作機能に関して、ポンプ装置Ｐのための操作ハンドル２０ａは、図１の操作ハンドル２０に対応している。操作ハンドル２０ａは、カップ形状シリンダジャケットとして追加的に設計され、これは容器カップＢにわたってその高さの半分を超えて軸方向に係合している。容器カップＢの外ジャケットと操作ハンドル２０ａのシリンダジャケットの下方縁領域の内壁は、対応する停止プロファイル３０、３１を備えていて、これは互いに背後で軸方向に積極的に係合している。これは走査ハンドル２０ａの軸方向保証作用を与える。操作ハンドル２０ａは、図１の操作ハンドル２０のように、ポンプ装置Ｐの外ポンプケーシング部にロックされているので、ストッププロファイル３０、３１は、同時にポンプ装置Ｐのためのストローク制限を生成し、これはポンプスプリング配置１５の圧縮力に対して必要な保持力を提供する。
【００２７】
図２の実施例と図３の表現は、僅かに修正されている。このように、図３の実施例において、ポンプ装置Ｐの受容部２ａは、図１に示すように、フィルタ配置の挿入のためのレセプタクルを含む。こうして、もしカバー２８が容器カップＢのためのタイトなシールを提供するなら、後者は対応する液体のための媒体リザーバとして直接使用され得る。なぜなら、ノズル孔を備え、選択的にはフィルタ配置の付加的な挿入を備えたレセプタクルを通じて寸法的に安定な容器カップＢにもかかわらず、ポンプ装置Ｐを操作する間、十分な圧力補償があるからである。
【００２８】
もっとも、図２の場合、容器カップＢのためのそのような圧力補償装置はない。代わりに、容器カップＢが柔軟な壁を備えた媒体リザーバＳを有する。媒体リザーバＳは、ここでは１の又は多層のフィルムから製造されたフィルムバッグの形状であり、これはプロファイルリング２７に周方向にタイトに接続されている。好ましくは、フィルムバッグはプロファイルリング２７に密着（又は溶接）されており、後者のプロファイルは、フィルムバッグをプロファイルリング２７にタイトに密着するためにその表面を拡大させている。これは、フィルムバッグのプロファイルリング２７に対する密着された接続とタイトなシールの優れた保証を確実にする。媒体リザーバＳとして役立つフィルムバッグは、結果的にポンプ装置Ｐにだけ開放し、同じポンプ及び排出機能が図１の実施例のように得られることが可能になっている。各排出工程で、媒体リザーバＳの体積の減少があり、フィルムバッグが収縮するようになっている。柔軟なフィルムバッグの壁は、ポンプ装置Ｐの対応する排出工程の間、結果的に媒体リザーバＳ内での圧力及び体積補償を可能にする。
【００２９】
図５及び６の実施例において、投与装置が示されていて、そのポンプ装置は図１のそれに対応している。同じ機能を有する投与装置の部分は、図１の実施例におけるのと同じ参照符号が与えられ、文字“ｂ”が続いている。更なる詳細のため、図１に関する説明について参照がなされている。以後参照は図５及び６に示された差異についてのみなされる。本質的な差異は、受容部２ｂが、図２から４による実施例とほとんど同じ方法で、カバー１ｂと別体に設計されていることである。カバー１ｂは、クリンプカバーの形状であり、これは媒体リザーバの対応する容器ネックに載置され得る。受容部２ｂの載置は、クリンプカバーの形状のカバー１ｂとともに、指呼されていない周囲弾性シールの介在に伴って行われる。操作ハンドル２０ｂは、カップ形状の保護延長部２２ｂを有し、これはクリンプカバーの形状のカバー１ｂ越しに下方に引っ張られ、保護延長部２２ｂがクリンプカバーの形状のカバー１ｂのクリンプ領域を軸方向にカバーするようになっている。これは、図１による表現及び説明のとおりに、操作ハンドル２０ｂがポンプ装置の外ポンプケーシング部８ｂにロックされてすぐに、カバー１ｂが対応する媒体リザーバ容器ネックから分離するのを回避する。カバー１ｂが対応する媒体リザーバ容器ネックにクリンプされたときに、保護延長部がカバー１ｂのクリンプ領域をカバーするように、別体に製造されたハンドルがポンプケーシング部８ｂにフィットだけされる。なぜなら、操作ハンドル２２ｂがすでに十分にロックされた場合、クリンプ工程が可能でなくなるためである。
【図面の簡単な説明】
【００３０】
【図１】長手方向断面におけるポンプ装置と圧力保証装置を備えた投与装置の実施例。
【図２】柔軟壁媒体リザーバと図１と同様なポンプ装置を備えた投与装置を示すもう１つの実施例。
【図３】長手方向断面における図２の投与装置。
【図４】図３によるカバーとして機能する投与装置の受容ユニットの半断面形状での大縮尺表現。
【図５】図１と同様な投与装置を通る長手方向断面。
【図６】操作ハンドルが取り除かれた図５の投与装置。
【符号の説明】
【００３１】
１  カバー
２  受容部
３  固定ケーシング部
４  内シリンダジャケット
５  外シリンダジャケット
６  排出チャネル
７  吸引接続部
８  外ポンプケーシング部
９  プランジャボディ
１０  バルブプランジャ
１１  移動プランジャ
１２  投与リップ
１３  投与セグメント
１４  移動領域
１６  出口バルブ
１７  出口室
１８  出口開口
１９  保護キャップ
２０  操作ハンドル
２１  ロッキングウェブ
２３、２４  ロッキングプロファイル
２７  プロファイルリング
２８  カバー
２９  環状シール
３０、３１  停止プロファイル
Ｂ  容器カップ
Ｐ  ポンプ装置
Ｓ  媒体リザーバ
【図１】
2005503300.tif 000003
【図２】
2005503300.tif 000004
【図３】
2005503300.tif 000005
【図４】
2005503300.tif 000006
【図５】
2005503300.tif 000007
【図６】
2005503300.tif 000008
【国際公開パンフレット】
2005503300.tif 000009
2005503300.tif 000010
2005503300.tif 000011
2005503300.tif 000012
2005503300.tif 000013
2005503300.tif 000014
2005503300.tif 000015
2005503300.tif 000016
2005503300.tif 000017
2005503300.tif 000018
2005503300.tif 000019
2005503300.tif 000020
2005503300.tif 000021
2005503300.tif 000022
2005503300.tif 000023
2005503300.tif 000024
2005503300.tif 000025
2005503300.tif 000026
2005503300.tif 000027
2005503300.tif 000028
2005503300.tif 000029
2005503300.tif 000030
2005503300.tif 000031
2005503300.tif 000032
2005503300.tif 000033
【国際調査報告】
2005503300.tif 000034
2005503300.tif 000035
2005503300.tif 000036
2005503300.tif 000037